(57)【要約】【課題】追記型メモリカードを使用した場合でもプリント指定管理ファイルを用いた自動プリント機能を有効に活用可能とする。【解決手段】本発明によれば、データの書き込み回数が制限された第１の記録媒体と、前記データの書き込み回数が制限されていない第２の記録媒体に対して画像データと前記画像データに係る画像の印刷動作を指定する印刷管理データとを記録する装置であって、前記第１の記録媒体に対しては前記印刷管理データの作成指示の度に生成された前記印刷管理データを順次前記第１の記録媒体に追加して記録し、前記第２の記録媒体に対しては前記第２の記録媒体に既に記録されていた前記印刷管理データに代えて前記印刷管理データの作成指示に応じて新たに作成された印刷管理データを記録する構成とした。【選択図】  図３
2004274338.tif 000002
【特許請求の範囲】
【請求項１】
同一の記録領域に対するデータの書き込み回数がｎ回（ｎは１以上の所定の整数）に制限された第１の記録媒体と、前記データの書き込み回数が制限されていない第２の記録媒体に対して画像データと前記画像データに係る画像の印刷動作を指定する印刷管理データとを記録する記録手段と、
前記記録手段に対して前記第１の記録媒体と前記第２の記録媒体のうちの何れが装着されたのかを識別する識別手段と、
前記印刷管理データの作成指示に応じて前記印刷管理データを生成し、前記書き込み手段に出力する管理データ処理手段と、
前記識別手段により前記第１の記録媒体が識別された場合には前記印刷管理データの作成指示の度に生成された前記印刷管理データを順次前記第１の記録媒体に追加して記録すると共に、前記第２の記録媒体が識別された場合には前記第２の記録媒体に既に記録されていた前記印刷管理データに代えて前記印刷管理データの作成指示に応じて新たに作成された印刷管理データを記録するよう前記記録手段を制御する制御手段とを備える記録装置。
【請求項２】
同一の記録領域に対するデータの書き込み回数がｎ回（ｎは１以上の所定の整数）に制限された第１の記録媒体と、前記データの書き込み回数が制限されていない第２の記録媒体に対して画像データと前記画像データに係る画像の印刷動作を指定する印刷管理データとを記録する記録手段と、
前記印刷管理データの作成指示に応じて前記印刷管理データを生成し、前記書き込み手段に出力する管理データ処理手段と、
前記第１の記録媒体に対しては前記印刷管理データの作成指示の度に生成された前記印刷管理データを順次前記第１の記録媒体に追加して記録すると共に、前記第２の記録媒体に対しては前記第２の記録媒体に既に記録されていた前記印刷管理データに代えて前記印刷管理データの作成指示に応じて新たに作成された印刷管理データを記録するよう前記記録手段を制御する制御手段とを備える記録装置。
【請求項３】
前記制御手段は、前記管理データ処理手段により順次生成される複数の前記印刷管理データに対して異なるファイル名を付加して前記第１の記録媒体に記録するよう前記記録手段を制御することを特徴とする請求項１または２記載の記録装置。
【請求項４】
前記制御手段は、前記第１の記録媒体における同一のフォルダに前記複数の印刷管理データを記録するよう前記記録手段を制御することを特徴とする請求項３記載の記録装置。
【請求項５】
前記制御手段は、前記管理データ処理手段により順次生成される複数の前記印刷管理データを前記第１の記録媒体における互いに異なるフォルダに記録するよう前記記録手段を制御することを特徴とする請求項１または２記載の記録装置。
【請求項６】
前記制御手段は、前記複数の印刷管理データに対して同一のファイル名を付加して前記第１の記録媒体に記録するよう前記記録手段を制御することを特徴とする請求項５記載の記録装置。
【請求項７】
前記第１の記録媒体に対して順次記録する印刷管理データは、同一の機能を示していることを特徴とする請求項１から６記載の記録装置。
【請求項８】
同一の記録領域に対するデータの書き込み回数がｎ回（ｎは１以上の所定の整数）に制限された記録媒体に対して画像データと前記画像データに係る画像の印刷動作を指定する印刷管理データとを記録する記録手段と、
前記印刷管理データの作成指示に応じて前記印刷管理データを生成し、前記書き込み手段に出力する管理データ処理手段と、
前記印刷管理データの作成指示の度に生成された前記印刷管理データを順次前記記録媒体に追加して記録するよう前記記録手段を制御する制御手段とを備え、前記記録手段は、前記管理データ処理手段により順次生成される複数の前記印刷管理データを前記記録媒体における互いに異なるフォルダに記録することを特徴とする記録装置。
【請求項９】
前記印刷管理データをＤＰＯＦ（Ｄｉｇｉｔａｌ  Ｐｒｉｎｔ  Ｏｒｄｅｒ  Ｆｏｒｍａｔ）に従って生成することを特徴とする請求項１から８記載の記録装置。
【発明の詳細な説明】
【０００１】
【発明の属する技術分野】
本発明は記録装置に関し、特に記録回数が制限された記録媒体に対してデータを記録する装置に関する。
【０００２】
【従来の技術】
従来、デジタルスチルカメラ（ＤＳＣ）やデジタルビデオカメラ（ＤＶＣ）など、静止画像をデジタル信号として記録する装置が知られている。
【０００３】
これらの装置では、記録媒体としてリムーバブルな小型メモリカードを使用する事が一般的である。これにより、銀塩カメラのフィルム交換と同様に、メモリカードを交換することで撮影可能枚数を増やすことができる。また、撮影済みのカードをＤＰＥ店に預け、静止画像をプリントアウトすることも可能になる。
【０００４】
また、記録した静止画像をパーソナルコンピュータ（ＰＣ）で閲覧する際に、メモリカードをカメラから抜き出してＰＣへと挿入するだけでよく、利便性も高い。
【０００５】
最近では、カードスロットを持つプリンタも有り、スロットにメモリカードを挿入し、画像を指定するだけで、容易に静止画像をプリントすることができる。
【０００６】
このようなＤＰＥや家庭での静止画像のプリントアウトをより簡単に行うために、ＤＰＯＦ（Ｄｉｇｉｔａｌ  Ｐｒｉｎｔ  Ｏｒｄｅｒ  Ｆｏｒｍａｔ）という規格が提案されている。ＤＰＯＦ対応のＤＳＣやＤＶＣであれば、撮影した画像に対し、カメラ本体の操作により、プリント画像やプリント枚数などを指定することができ、このプリント情報は静止画像が記録されているメモリカード内に、プリント指定情報テキストデータファイルとして記録される。
【０００７】
このようなプリント情報が記録されたメモリカードを、ＤＰＯＦ対応のＤＰＥ店や、メモリカードスロット搭載のプリンタなどで利用することにより、容易に所望の静止画像を必要な枚数だけプリントする事ができる。
【０００８】
一方、前述のような小型メモリカードに対しては低価格化の要求が大きく、カード内の同一記録領域に対するデータの書き込み動作を１回のみに制限する事で価格を低く抑える追記型メモリカードの開発が行われている。
【０００９】
【発明が解決しようとする課題】
前述の様に、ＤＰＯＦに従うプリント指定情報ファイルは、ユーザのプリント指定変更に伴い随時書き換える必要がある。
【００１０】
しかし、前述の低コストな追記型メモリカードを利用した場合、プリント指定情報ファイルを書き換えることができないので、追記型メモリカードを使用した場合には自動プリント機能を有効に使用することができない。
【００１１】
本発明はこの様な問題を解決し、追記型メモリカードを使用した場合でもプリント指定管理ファイルを用いた自動プリント機能を有効に活用可能とすることを目的とする。
【００１２】
【課題を解決するための手段】
前記課題を解決するため、本発明においては、同一の記録領域に対するデータの書き込み回数がｎ回（ｎは１以上の所定の整数）に制限された第１の記録媒体と、前記データの書き込み回数が制限されていない第２の記録媒体に対して画像データと前記画像データに係る画像の印刷動作を指定する印刷管理データとを記録する記録手段と、前記記録手段に対して前記第１の記録媒体と前記第２の記録媒体のうちの何れが装着されたのかを識別する識別手段と、前記印刷管理データの作成指示に応じて前記印刷管理データを生成し、前記書き込み手段に出力する管理データ処理手段と、前記識別手段により前記第１の記録媒体が識別された場合には前記印刷管理データの作成指示の度に生成された前記印刷管理データを順次前記第１の記録媒体に追加して記録すると共に、前記第２の記録媒体が識別された場合には前記第２の記録媒体に既に記録されていた前記印刷管理データに代えて前記印刷管理データの作成指示に応じて新たに作成された印刷管理データを記録するよう前記記録手段を制御する制御手段とを備える構成とした。
【００１３】
【発明の実施の形態】
図１は本発明が適用されるデジタルスチルカメラ（ＤＳＣ）１００の構成を示す図である。
【００１４】
図１において、１０１は撮像部であり、被写体画像を撮影してデジタル画像データを生成する。１０２は画像メモリであり、撮像部１０１からの画像データなどを記憶する。１０３は操作部であり、記録キーや再生スイッチなど、各種の操作キーを含む。１０４は表示部であり、撮像部１０１からの画像データに係る画像や再生された画像、メニュー画面など各種の情報を表示する。１０５は画像処理部であり、撮影時には撮像部１０１からの画像データを符号化してカードＩ／Ｆ１０４に出力し、再生時にはカードＩ／Ｆにより再生された画像データを復号して表示部１０４に出力する。
【００１５】
１０６はカードＩ／Ｆであり、メモリカードＭに対して画像データの書き込み、読み出しを行う。１０７は制御部であり、操作スイッチ１０３からの指示に従ってＤＳＣ１００の各種の動作を制御する。１０８は制御部１０７にて用いる制御プログラムを格納するプログラムメモリである。１０９は制御部１０７の指示に従い印刷管理データを生成、更新する管理データ処理部である。
【００１６】
本形態のＤＳＣ１００は、繰り返しデータの書き換えが可能な通常のメモリカード（以下第１のメモリカード）と、同一のアドレスに対して１回のみデータの書き込みが可能な追記型メモリカード（以下第２のメモリカード）とに対して画像データの書き込み、読み出しが可能である。
【００１７】
図２に、メモリカードＭ上に作成される各ファイルのディレクトリの様子を示す。
【００１８】
図２に示す様に、通常の画像ファイルとは別に、自動プリントファイル、ＵＮＩＣＯＤＥ文字列記述ファイル、自動送信ファイル、自動再生ファイルが必要に応じて作成され、ＭＩＳＣフォルダとしてまとめられる。これらの各ファイルはテキストファイルである。
【００１９】
本形態では、カードＩ／Ｆ１０６により、装着されたメモリカードＭが前述の第１のメモリカードと第２のメモリカードの何れであるのかを判定し、制御部１０７は判定の結果に従ってメモリカードＭに対するプリント指定情報ファイルの処理を変更する。
【００２０】
まず、装着されたメモリカードＭが第１のメモリカードであった場合、制御部１０７は、操作部１０３によりプリント指定操作があると、メモリカード内にプリント指定管理ファイルが存在するか否かをチェックする。管理ファイルが存在しない場合には、制御部１０７は管理データ処理部１０９を制御して新たに管理ファイルを作成する。また、管理ファイルが存在する場合には、管理データ処理部１０９によりユーザにより指定された内容に従って新たに管理ファイルを生成する。そして、この新たに作成した管理ファイルを元々メモリカードＭに記録されていた管理ファイルの代わりにメモリカードＭの指定された領域に書き込む。
【００２１】
次に、装着されたメモリカードＭが第２のメモリカードであった場合の動作を説明する。
【００２２】
装着されたメモリカードＭが第２のメモリカードであった場合、操作スイッチ１０３により自動プリント設定指示があると、制御部１０７はカードＩ／Ｆ１０６に対してプリント情報管理ファイルの作成を指示する。管理データ処理部１０９はユーザにより指定された内容に従って新たに管理ファイルを作成し、カードＩ／Ｆ１０６に出力する。
【００２３】
制御部１０７は、第２のメモリカードに対しては、この新たに作成した管理ファイルをメモリカード上に順次追加して記録する。
【００２４】
制御部１０７は、第２のメモリカードに対しては、図２の様に既に管理ファイルが記録されている場合でも、新たに作成した管理ファイルに対して異なるファイル名を付加してメモリカード上に順次追加して記録するようカードＩ／Ｆ１０６を制御する。
【００２５】
図３は、この様に順次複数の管理ファイルを追加して記録した様子を示す図である。
【００２６】
図３に示す様に、操作部１０３によりプリント管理ファイルの作成指示のたびに新たに作成した管理ファイルを、ＡＵＴＯＰＲＩＮＴ０００１．ＭＲＫ、ＡＵＴＯＰＲＩＮＴ０００２．ＭＲＫ、ＡＵＴＯＰＲＩＮＴ０００３．ＭＲＫというファイル名で同じＭＩＳＣフォルダ内に順次記録している。
【００２７】
この様に、本形態によれば、追記型メモリカードを使用してプリント指定を行った場合には、管理ファイル作成指示の度に新たに作成したプリント情報管理ファイルを順次追加して記録することで、書き込み回数が制限されている追記型メモリカードを使用した場合でも、自動プリントの機能を有効に活用することが可能となる。
【００２８】
なお、この様に複数の管理ファイルが記録されているメモリカードを用いて、管理ファイルを使ったサービスを受ける場合には、操作部１０３によりメモリカードＭ内に記録されている複数の管理ファイルから所望の管理ファイルを選択し、カメラ１００に接続されたプリンタなどに送信することで実現可能となる。
【００２９】
次に、第２の実施形態について説明する。
【００３０】
前述の実施形態では、第２のメモリカードに対して新たに作成した管理ファイルを追加して記録する場合に、異なるファイル名を付加して同一のフォルダ内に記録していたが、本形態では、異なるフォルダ（ディレクトリ）の下に各管理ファイルを記録する。
【００３１】
なお、基本的な動作は前述の実施形態と同様であるため、省略する。
【００３２】
図４は本形態における第２のメモリカード内でのディレクトリ構成、及び、書き込まれるファイルの様子を示す図である。
【００３３】
図４に示した様に、管理ファイルを追加して書き込む際、制御部１０７はカードＩ／Ｆ１０６を制御して、既にメモリカード上に作成されているフォルダ名とは異なるフォルダ名を持つフォルダを作成し、そのフォルダ内に、新たに作成した管理ファイルを書き込む。その場合、ファイル名は同一とする。
【００３４】
この様に複数の管理ファイルが記録されているメモリカードを用いて、管理ファイルを使ったサービスを受ける場合には、操作部１０３により所望の管理ファイルが格納されたフォルダを指定することにより、所定のサービスを受けることができる。
【００３５】
【発明の効果】
以上説明した様に、本発明によれば、書き込み回数が制限されている記録媒体を用いた場合にも、印刷管理ファイルによる印刷機能を有効に活用することが可能となる。
【図面の簡単な説明】
【図１】本発明が適用されるデジタルカメラの構成を示す図である。
【図２】メモリカード上のファイルのディレクトリ構成を示す図である。
【図３】メモリカード上のファイルのディレクトリ構成を示す図である。
【図４】メモリカード上のファイルのディレクトリ構成を示す図である。
【図１】
2004274338.tif 000003
【図２】
2004274338.tif 000004
【図３】
2004274338.tif 000005
【図４】
2004274338.tif 000006